【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
方法であって、
ナローバンドモノのインターネット（ＮＢ−ＩｏＴ）無線アクセスまたはセルラモノのインターネット（ＣＩｏＴ）機能を使用しているユーザ機器（ＵＥ）によってワイヤレスネットワークとの接続された状態に入ることと、
ロケーションサーバとの測位セッションに従事することと、
前記ロケーションサーバからロケーション測定値を求める要求を受信することと、
前記ＵＥが前記ワイヤレスネットワークとの前記接続された状態でなくなるまで、前記ロケーション測定を遂行することを延期することと、
アイドル状態に入ることと、ここにおいて、前記ＵＥは、前記ワイヤレスネットワークと接続されていない、
前記アイドル状態にある間に前記ロケーション測定値を取得することと、
前記ワイヤレスネットワークとの前記接続された状態に再び入ることと、
前記ロケーションサーバに前記ロケーション測定値を提供することと
を備え、
ここにおいて、前記ロケーションサーバとの前記測位セッションに従事することは、前記ＵＥが前記接続された状態でなくなるまで、前記ＵＥが前記測位セッションのためにロケーション測定を遂行することを延期することになるというインジケーションを、前記ロケーションサーバまたは前記ワイヤレスネットワークに送信することを備える、方法。
【請求項２】
ナローバンドモノのインターネット（ＮＢ−ＩｏＴ）無線アクセスまたはセルラモノのインターネット（ＣＩｏＴ）機能を使用するユーザ機器（ＵＥ）であって、
前記ＵＥは、ワイヤレスネットワークとワイヤレスに通信するように構成されたワイヤレストランシーバと、
前記ワイヤレストランシーバを用いて前記ワイヤレスネットワークとの接続された状態に入ることと、ロケーションサーバとの測位セッションに従事することと、前記ロケーションサーバからロケーション測定値を求める要求を前記ワイヤレストランシーバで受信することと、前記ＵＥが前記ワイヤレスネットワークとの前記接続された状態でなくなるまで、前記ロケーション測定を遂行することを延期することと、アイドル状態に入ることと、ここにおいて、前記ＵＥは、前記ワイヤレスネットワークと接続されていない、前記アイドル状態にある間に前記ロケーション測定値を取得することと、前記ワイヤレスネットワークとの前記接続された状態に再び入ることと、前記ロケーションサーバに前記ロケーション測定値を提供することとを行うように構成された少なくとも１つのプロセッサと
を備え、
前記少なくとも１つのプロセッサは、前記ワイヤレストランシーバに、前記ＵＥが前記接続された状態でなくなるまで、前記ＵＥが前記測位セッションのためにロケーション測定を遂行することを延期することになるというインジケーションを、前記ロケーションサーバまたは前記ワイヤレスネットワークに送信することを行わせるように構成されることによって、前記ロケーションサーバとの前記測位セッションに従事するように構成される、ＵＥ。
【請求項３】
前記ＵＥによって前記ロケーションサーバとの前記測位セッションに従事することは、前記ロケーションサーバから前記測位セッションを開始するためのメッセージを受信することを備える、請求項１に記載の方法または請求項２に記載の装置。
【請求項４】
前記ＵＥによって前記ロケーションサーバとの前記測位セッションに従事することは、前記ワイヤレスネットワークまたは前記ロケーションサーバに前記測位セッションを開始するためのメッセージを送信することを備える、請求項１に記載の方法または請求項２に記載の装置。
【請求項５】
前記インジケーションは、前記アイドル状態にある間に前記ＵＥが１つまたは複数の位置決め方法のためにロケーション測定を遂行するという、前記１つまたは複数の位置決め方法についてのインジケーションを備える、請求項１に記載の方法または請求項２に記載の装置。
【請求項６】
前記インジケーションは、ロングタームエボリューション（ＬＴＥ）測位プロトコル（ＬＰＰ）またはＬＰＰ拡張（ＬＰＰｅ）プロトコルについてのインジケーションである、請求項５に記載の方法または請求項５に記載の装置。
【請求項７】
前記ＵＥが前記接続された状態でなくなるまで、前記ロケーション測定を遂行することを延期することは、前記ワイヤレスネットワークへのシグナリング接続の解放または一時中断を待つことを備える、請求項１に記載の方法または請求項２に記載の装置。
【請求項８】
前記ＵＥが前記接続された状態でなくなるまで、前記ロケーション測定を遂行することを延期することは、前記ワイヤレスネットワークへのシグナリング接続を解放することを備える、請求項１に記載の方法または請求項２に記載の装置。
【請求項９】
方法であって、
ワイヤレスネットワークにアクセスするために、ナローバンドモノのインターネット（ＮＢ−ＩｏＴ）無線アクセスまたはセルラモノのインターネット（ＣＩｏＴ）機能を使用しているユーザ機器（ＵＥ）との測位セッションに従事することと、
前記ＵＥが前記ワイヤレスネットワークとの接続された状態でなくなるまで、前記ＵＥが前記測位セッションのためにロケーション測定を遂行することを延期することになるというインジケーションを受信することと、
前記ＵＥにロケーション測定値を求める要求を送ることと、ここにおいて、前記ロケーション測定値を求める前記要求は、前記インジケーションが受信されなかった別のＵＥについての最大応答時間より長い増大された最大応答時間を備える、
前記増大された最大応答時間の満了より前に前記ＵＥから前記要求されたロケーション測定値を受信することと、
前記受信されたロケーション測定値に基づいて前記ＵＥについてのロケーションを決定することと
を備える、方法。
【請求項１０】
装置であって、
ワイヤレスネットワークと通信するように構成された外部インターフェースと、
前記ワイヤレスネットワークにアクセスするために、ナローバンドモノのインターネット（ＮＢ−ＩｏＴ）無線アクセスまたはセルラモノのインターネット（ＣＩｏＴ）機能を使用しているユーザ機器（ＵＥ）との測位セッションに従事することと、前記ＵＥが前記ワイヤレスネットワークとの接続された状態でなくなるまで、前記ＵＥが前記測位セッションのためにロケーション測定を遂行することを延期することになるというインジケーションを受信することと、前記外部インターフェースに、前記ＵＥにロケーション測定値を求める要求を送ることを行わせることと、ここにおいて、前記ロケーション測定値を求める前記要求は、前記インジケーションが受信されなかった別のＵＥについての最大応答時間より長い増大された最大応答時間を備える、前記増大された最大応答時間の満了より前に前記ＵＥから前記要求されたロケーション測定値を受信することと、前記受信されたロケーション測定値に基づいて前記ＵＥについてのロケーションを決定することとを行うように構成された少なくとも１つのプロセッサと
を備える、装置。
【請求項１１】
前記ＵＥとの前記測位セッションに従事することは、前記測位セッションを開始するためのメッセージを前記ＵＥに送ることを備える、請求項９に記載の方法または請求項１０に記載の装置。
【請求項１２】
前記ＵＥとの前記測位セッションに従事することは、前記測位セッションを開始するための、前記ＵＥによって送られた、または前記ワイヤレスネットワーク中のエンティティによって送られたメッセージを受信することを備える、請求項９に記載の方法または請求項１０に記載の装置。
【請求項１３】
前記インジケーションは、アイドル状態にある間に前記ＵＥが１つまたは複数の位置決め方法のためにロケーション測定を遂行するという、前記１つまたは複数の位置決め方法についてのインジケーションを備え、前記インジケーションは、ロングタームエボリューション（ＬＴＥ）測位プロトコル（ＬＰＰ）またはＬＰＰ拡張（ＬＰＰｅ）プロトコルについてのインジケーションである、請求項９に記載の方法または請求項１０に記載の装置。
【手続補正２】
【補正対象書類名】明細書
【補正対象項目名】０１９５
【補正方法】変更
【補正の内容】
【０１９５】
[00200]したがって、特許請求される主題は、開示された特定の例に限定されないが、そのような特許請求される主題はまた、添付された特許請求の範囲内に含まれる全ての態様およびそれらの同等物を含みうることが意図される。
以下に本願の出願当初の特許請求の範囲に記載された発明を付記する。
［Ｃ１］
方法であって、
ナローバンドモノのインターネット（ＮＢ−ＩｏＴ）無線アクセスまたはセルラモノのインターネット（ＣＩｏＴ）機能を使用しているユーザ機器（ＵＥ）によってワイヤレスネットワークとの接続された状態に入ることと、
ロケーションサーバとの測位セッションに従事することと、
前記ロケーションサーバからロケーション測定値を求める要求を受信することと、
前記ＵＥが前記ワイヤレスネットワークとの前記接続された状態でなくなるまで、前記ロケーション測定を遂行することを延期することと、
アイドル状態に入ることと、ここにおいて、前記ＵＥは、前記ワイヤレスネットワークと接続されていない、
前記アイドル状態にある間に前記ロケーション測定値を取得することと、
前記ワイヤレスネットワークとの前記接続された状態に再び入ることと、
前記ロケーションサーバに前記ロケーション測定値を提供することと
を備える、方法。
［Ｃ２］
前記ＵＥによって前記ロケーションサーバとの前記測位セッションに従事することは、前記ロケーションサーバから前記測位セッションを開始するためのメッセージを受信することを備える、Ｃ１に記載の方法。
［Ｃ３］
前記ＵＥによって前記ロケーションサーバとの前記測位セッションに従事することは、前記ワイヤレスネットワークまたは前記ロケーションサーバに前記測位セッションを開始するためのメッセージを送信することを備える、Ｃ１に記載の方法。
［Ｃ４］
前記ロケーションサーバとの前記測位セッションに従事することは、前記ＵＥが前記接続された状態でなくなるまで、前記ＵＥが前記測位セッションのためにロケーション測定を遂行することを延期することになるというインジケーションを、前記ロケーションサーバまたは前記ワイヤレスネットワークに送信することを備える、Ｃ１に記載の方法。
［Ｃ５］
前記インジケーションは、前記アイドル状態にある間に前記ＵＥが１つまたは複数の位置決め方法のためにロケーション測定を遂行するという、前記１つまたは複数の位置決め方法についてのインジケーションを備える、Ｃ４に記載の方法。
［Ｃ６］
前記インジケーションは、ロングタームエボリューション（ＬＴＥ）測位プロトコル（ＬＰＰ）またはＬＰＰ拡張（ＬＰＰｅ）プロトコルについてのインジケーションである、Ｃ５に記載の方法。
［Ｃ７］
前記ＵＥが前記接続された状態でなくなるまで、前記ロケーション測定を遂行することを延期することは、前記ワイヤレスネットワークへのシグナリング接続の解放または一時中断を待つことを備える、Ｃ１に記載の方法。
［Ｃ８］
前記ＵＥが前記接続された状態でなくなるまで、前記ロケーション測定を遂行することを延期することは、前記ワイヤレスネットワークへのシグナリング接続を解放することを備える、Ｃ１に記載の方法。
［Ｃ９］
ナローバンドモノのインターネット（ＮＢ−ＩｏＴ）無線アクセスまたはセルラモノのインターネット（ＣＩｏＴ）機能を使用するユーザ機器（ＵＥ）であって、
前記ＵＥは、ワイヤレスネットワークとワイヤレスに通信するように構成されたワイヤレストランシーバと、
前記ワイヤレストランシーバを用いて前記ワイヤレスネットワークとの接続された状態に入ることと、ロケーションサーバとの測位セッションに従事することと、前記ロケーションサーバからロケーション測定値を求める要求を前記ワイヤレストランシーバで受信することと、前記ＵＥが前記ワイヤレスネットワークとの前記接続された状態でなくなるまで、前記ロケーション測定を遂行することを延期することと、アイドル状態に入ることと、ここにおいて、前記ＵＥは、前記ワイヤレスネットワークと接続されていない、前記アイドル状態にある間に前記ロケーション測定値を取得することと、前記ワイヤレスネットワークとの前記接続された状態に再び入ることと、前記ロケーションサーバに前記ロケーション測定値を提供することとを行うように構成された少なくとも１つのプロセッサと
を備える、ＵＥ。
［Ｃ１０］
前記少なくとも１つのプロセッサは、前記ロケーションサーバから前記測位セッションを開始するためのメッセージを受信するように構成されることによって、前記ロケーションサーバとの前記測位セッションに従事するように構成される、Ｃ９に記載のＵＥ。
［Ｃ１１］
前記少なくとも１つのプロセッサは、前記ワイヤレストランシーバに、前記測位セッションを開始するためのメッセージを前記ワイヤレスネットワークまたは前記ロケーションサーバに送信することを行わせるように構成されることによって、前記ロケーションサーバとの前記測位セッションに従事するように構成される、Ｃ９に記載のＵＥ。
［Ｃ１２］
前記少なくとも１つのプロセッサは、前記ワイヤレストランシーバに、前記ＵＥが前記接続された状態でなくなるまで、前記ＵＥが前記測位セッションのためにロケーション測定を遂行することを延期することになるというインジケーションを、前記ロケーションサーバまたは前記ワイヤレスネットワークに送信することを行わせるように構成されることによって、前記ロケーションサーバとの前記測位セッションに従事するように構成される、Ｃ９に記載のＵＥ。
［Ｃ１３］
前記インジケーションは、前記アイドル状態にある間に前記ＵＥが１つまたは複数の位置決め方法のためにロケーション測定を遂行するという、前記１つまたは複数の位置決め方法についてのインジケーションを備える、Ｃ１２に記載のＵＥ。
［Ｃ１４］
前記インジケーションは、ロングタームエボリューション（ＬＴＥ）測位プロトコル（ＬＰＰ）またはＬＰＰ拡張（ＬＰＰｅ）プロトコルについてのインジケーションである、Ｃ１３に記載のＵＥ。
［Ｃ１５］
前記少なくとも１つのプロセッサは、前記ワイヤレスネットワークへのシグナリング接続の解放または一時中断を待つように構成されることによって、前記ＵＥが前記接続された状態でなくなるまで、前記ロケーション測定を遂行することを延期するように構成される、Ｃ９に記載のＵＥ。
［Ｃ１６］
前記少なくとも１つのプロセッサは、前記ワイヤレスネットワークへのシグナリング接続を解放するように構成されることによって、前記ＵＥが前記接続された状態でなくなるまで、前記ロケーション測定を遂行することを延期するように構成される、Ｃ９に記載のＵＥ。
［Ｃ１７］
方法であって、
ワイヤレスネットワークにアクセスするために、ナローバンドモノのインターネット（ＮＢ−ＩｏＴ）無線アクセスまたはセルラモノのインターネット（ＣＩｏＴ）機能を使用しているユーザ機器（ＵＥ）との測位セッションに従事することと、
前記ＵＥが前記ワイヤレスネットワークとの接続された状態でなくなるまで、前記ＵＥが前記測位セッションのためにロケーション測定を遂行することを延期することになるというインジケーションを受信することと、
前記ＵＥにロケーション測定値を求める要求を送ることと、ここにおいて、前記ロケーション測定値を求める前記要求は、前記インジケーションが受信されなかった別のＵＥについての最大応答時間より長い増大された最大応答時間を備える、
前記増大された最大応答時間の満了より前に前記ＵＥから前記要求されたロケーション測定値を受信することと、
前記受信されたロケーション測定値に基づいて前記ＵＥについてのロケーションを決定することと
を備える、方法。
［Ｃ１８］
前記ＵＥとの前記測位セッションに従事することは、前記測位セッションを開始するためのメッセージを前記ＵＥに送ることを備える、Ｃ１７に記載の方法。
［Ｃ１９］
前記ＵＥとの前記測位セッションに従事することは、前記測位セッションを開始するための、前記ＵＥによって送られた、または前記ワイヤレスネットワーク中のエンティティによって送られたメッセージを受信することを備える、Ｃ１７に記載の方法。
［Ｃ２０］
前記インジケーションは、アイドル状態にある間に前記ＵＥが１つまたは複数の位置決め方法のためにロケーション測定を遂行するという、前記１つまたは複数の位置決め方法についてのインジケーションを備え、前記インジケーションは、ロングタームエボリューション（ＬＴＥ）測位プロトコル（ＬＰＰ）またはＬＰＰ拡張（ＬＰＰｅ）プロトコルについてのインジケーションである、Ｃ１７に記載の方法。
［Ｃ２１］
装置であって、
ワイヤレスネットワークと通信するように構成された外部インターフェースと、
前記ワイヤレスネットワークにアクセスするために、ナローバンドモノのインターネット（ＮＢ−ＩｏＴ）無線アクセスまたはセルラモノのインターネット（ＣＩｏＴ）機能を使用しているユーザ機器（ＵＥ）との測位セッションに従事することと、前記ＵＥが前記ワイヤレスネットワークとの接続された状態でなくなるまで、前記ＵＥが前記測位セッションのためにロケーション測定を遂行することを延期することになるというインジケーションを受信することと、前記外部インターフェースに、前記ＵＥにロケーション測定値を求める要求を送ることを行わせることと、ここにおいて、前記ロケーション測定値を求める前記要求は、前記インジケーションが受信されなかった別のＵＥについての最大応答時間より長い増大された最大応答時間を備える、前記増大された最大応答時間の満了より前に前記ＵＥから前記要求されたロケーション測定値を受信することと、前記受信されたロケーション測定値に基づいて前記ＵＥについてのロケーションを決定することとを行うように構成された少なくとも１つのプロセッサと
を備える、装置。
［Ｃ２２］
前記少なくとも１つのプロセッサは、前記外部インターフェースに、前記測位セッションを開始するためのメッセージを前記ＵＥに送ることを行わせるように構成されることによって、前記ＵＥとの前記測位セッションに従事するように構成される、Ｃ２１に記載の装置。
［Ｃ２３］
前記少なくとも１つのプロセッサは、前記測位セッションを開始するための、前記ＵＥによって送られた、または前記ワイヤレスネットワーク中のエンティティによって送られたメッセージを受信するように構成されることによって、前記ＵＥとの前記測位セッションに従事するように構成される、Ｃ２１に記載の装置。
［Ｃ２４］
前記インジケーションは、アイドル状態にある間に前記ＵＥが１つまたは複数の位置決め方法のためにロケーション測定を遂行するという、前記１つまたは複数の位置決め方法についてのインジケーションを備え、前記インジケーションは、ロングタームエボリューション（ＬＴＥ）測位プロトコル（ＬＰＰ）またはＬＰＰ拡張（ＬＰＰｅ）プロトコルについてのインジケーションである、Ｃ２１に記載の装置。
［Ｃ２５］
方法であって、
ユーザ機器（ＵＥ）がワイヤレスネットワークとの接続された状態にある間に前記ＵＥによって前記ワイヤレスネットワークからモバイル着信ロケーション要求を受信することと、前記モバイル着信ロケーション要求は、トリガ評価間隔、周期的最大レポーティング間隔トリガ、および１つまたは複数のロケーショントリガを備える、
前記ＵＥが前記接続された状態にない間に前記トリガ評価間隔で前記１つまたは複数のロケーショントリガを評価することと、
トリガ条件が検出されたときに、または前記周期的最大レポーティング間隔トリガが生じたときに、前記ワイヤレスネットワークとの前記接続された状態に再び入ることと、
前記接続された状態に再び入った後に前記ワイヤレスネットワークとのロケーションセッションを開始または再開することと
を備える、方法。
［Ｃ２６］
前記１つまたは複数のロケーショントリガは、ｉ）固定周期的ロケーションレポーティング間隔、（ｉｉ）セルの変更、（ｉｉｉ）トラッキングエリアの変更、（ｉｖ）セルおよびトラッキングエリアのグループにしたがって定義された地理的エリアへの進入、地理的エリアからの退出または地理的エリア内での残留、あるいは（ｖ）以前のロケーションからのしきい値線形距離を超える移動のうちの少なくとも１つを備える、Ｃ２５に記載の方法。
［Ｃ２７］
前記ワイヤレスネットワークにロケーション情報を提供することをさらに備え、前記ロケーション情報は、ロケーション測定値、ロケーション推定値、検出された前記トリガ条件のインジケーション、またはそれらの組み合わせを備える、Ｃ２５に記載の方法。
［Ｃ２８］
ユーザ機器（ＵＥ）であって、
ワイヤレスネットワークとワイヤレスに通信するように構成されたワイヤレストランシーバと、
前記ＵＥが前記ワイヤレスネットワークとの接続された状態にある間に前記ワイヤレスネットワークからモバイル着信ロケーション要求を受信することと、前記モバイル着信ロケーション要求は、トリガ評価間隔、周期的最大レポーティング間隔トリガ、および１つまたは複数のロケーショントリガを備える、前記ＵＥが前記接続された状態にない間に前記トリガ評価間隔で前記１つまたは複数のロケーショントリガを評価することと、トリガ条件が検出されたときに、または前記周期的最大レポーティング間隔トリガが生じたときに、前記ワイヤレスネットワークとの前記接続された状態に再び入ることと、前記接続された状態に再び入った後に前記ワイヤレスネットワークとのロケーションセッションを開始または再開することとを行うように構成された少なくとも１つのプロセッサと
を備える、ＵＥ。
［Ｃ２９］
前記１つまたは複数のロケーショントリガは、ｉ）固定周期的ロケーションレポーティング間隔、（ｉｉ）セルの変更、（ｉｉｉ）トラッキングエリアの変更、（ｉｖ）セルおよびトラッキングエリアのグループにしたがって定義された地理的エリアへの進入、地理的エリアからの退出または地理的エリア内での残留、あるいは（ｖ）以前のロケーションからのしきい値線形距離を超える移動のうちの少なくとも１つを備える、Ｃ２８に記載のＵＥ。
［Ｃ３０］
前記ワイヤレスネットワークにロケーション情報を提供することをさらに備え、前記ロケーション情報は、ロケーション測定値、ロケーション推定値、検出された前記トリガ条件のインジケーション、またはそれらの組み合わせを備える、Ｃ２８に記載のＵＥ。